(57)【要約】【課題】電源投入時からフリッカを抑制する高性能かつ長期的な信頼性を確保できる液晶表示装置を提供する。【解決手段】第１電極と、第１電極とは異なる材料で構成された第２電極と、第１電極と第２電極との間に配置された液晶層と、第１電極と液晶層との間に配置された第１配向膜と、第２電極と液晶層との間に配置された第２配向膜とを含む液晶変調素子と、第１電極に与える電位と、第２電極に与える電位の中心電位に対して正と負に周期的に変化する電位を制御するコントローラとを有し、コントローラは、液晶表示装置の電源投入後で液晶変調素子内の帯電現象が安定するまでの間に、フリッカを特定範囲内に抑えるように、第１電極に与える電位と第２電極に与える電位の中心電位のうち少なくとも一方を変化させ、第１電極側から液晶層に光束を入射させて画像を表示することを特徴とする液晶表示装置を提供する。【選択図】図１
2007206680.tif 000002
【特許請求の範囲】
【請求項１】
第１電極と、前記第１電極とは異なる材料で構成された第２電極と、前記第１電極と前記第２電極との間に配置された液晶層と、前記第１電極と前記液晶層との間に配置された第１配向膜と、前記第２電極と前記液晶層との間に配置された第２配向膜とを含む液晶変調素子と、
前記液晶層に与えられる有効電界の電位差が正と負とに周期的に変化するように、前記第１電極に与える電位と、前記第２電極に与える電位の中心電位に対して正と負とに周期的に変化する電位とを制御するコントローラとを有し、
前記コントローラは、前記液晶表示装置の電源投入後で前記液晶変調素子内の帯電現象が安定するまでの間に、フリッカを特定範囲内に抑えるように、前記第１電極に与える電位と前記第２電極に与える電位の中心電位のうち少なくとも一方を変化させ、
前記第１電極側から前記液晶層に光束を入射させて画像を表示することを特徴とする液晶表示装置。
【請求項２】
前記コントローラは、１フレーム画像の表示中に前記液晶層に与えられる有効電界の正の電位差の絶対値と負の電位差の絶対値との差を前記特定範囲に対応する差の範囲内に抑えるように、前記第１電極に与える電位と前記第２電極に与える電位の中心電位のうち少なくとも一方を変化させることを特徴とする請求項１に記載の液晶表示装置。
【請求項３】
前記コントローラは、前記フリッカが小さくなる方向に前記第１電極に与える電位と前記第２電極に与える電位の中心電位のうち少なくとも一方を変化させることを特徴とする請求項１又は２に記載の液晶表示装置。
【請求項４】
前記第１電極の材料と前記第２電極の材料とは、仕事関数が互いに異なることを特徴とする請求項１乃至３に記載の液晶表示装置。
【請求項５】
前記制御手段は、前記第１電極に与える電位と前記第２電極に与える電位の中心電位のうち少なくとも一方を、段階的に変化させることを特徴とする請求項１乃至４に記載の液晶表示装置。
【請求項６】
第１電極と、該第１電極とは異なる材料で構成された第２電極と、前記第１電極と前記第２電極との間に配置された液晶層と、前記第１電極と前記液晶層との間に配置された第１配向膜と、前記第２電極と前記液晶層との間に配置された第２配向膜とを含む液晶変調素子と、
前記液晶層に与えられる有効電界の電位差が正と負とに周期的に変化するように、前記第１電極に与える電位と、前記第２電極に与える電位の中心電位に対して正と負とに周期的に変化する電位とを制御するコントローラとを有し、前記第１電極側から前記液晶層に光束を入射させて画像を表示する液晶表示装置の制御方法であって、
前記コントローラによって、前記液晶表示装置の電源投入後で前記液晶変調素子内の帯電現象が安定するまでの間に、フリッカを特定範囲内に抑えるように、前記第１電極に与える電位と前記第２電極に与える電位の中心電位のうち少なくとも一方を変化させる制御ステップを備える。
【請求項７】
前記制御ステップにおいて、１フレーム画像の表示中に前記液晶層に与えられる有効電界の正の電位差の絶対値と負の電位差の絶対値との差を前記特定範囲に対応する差の範囲内に抑えるように、前記第１電極に与える電位と前記第２電極に与える電位の中心電位のうち少なくとも一方を変化させることを特徴とする請求項６に記載の液晶表示装置。
【請求項８】
前記制御ステップにおいて、前記フリッカが小さくなる方向に前記第１電極に与える電位と前記第２電極に与える電位の中心電位のうち少なくとも一方を変化させることを特徴とする請求項６又は７に記載の液晶表示装置。
【請求項９】
前記制御ステップにおいて、前記第１電極に与える電位と前記第２電極に与える電位の中心電位のうち少なくとも一方を、段階的に変化させることを特徴とする請求項６乃至８に記載の液晶表示装置。
【発明の詳細な説明】
【技術分野】
【０００１】
本発明は、一般的には、液晶プロジェクタ又は液晶テレビ等の液晶表示装置に関する。
【背景技術】
【０００２】
近年の電気機器の高性能化の要求に伴い、液晶表示装置についても高性能化が要求されている。液晶表示装置としては、例えば、液晶プロジェクタがある。液晶プロジェクタは、画像を変調するための液晶変調素子を有する。
【０００３】
液晶変調素子は、透明電極を有する第１の基板と、画素を形成する画素電極を有する第２の基板と、第１の基板と第２の基板との間に封入された液晶層とを有する。一般的に、透明電極には一定の電圧が印加され、画素電極には交流電圧が印加される。透明電極の電圧に関して画素電極に印加される電圧は正極側と負極側で変化する。そして、正極側と負極側での液晶層に印加される有効電界が互いに等しくない場合には、明るさがばらつくため、液晶変調素子にフリッカと呼ばれる現象が発生し、画質の劣化を引き起こす場合がある。
【０００４】
特に、液晶プロジェクタにおいては、液晶表示素子に強い光が照射されることにより、電源投入時から帯電現象が発生し、その現象により、正極側と負極側の有効電界が変化し、有効電界が互いに等しくなる電位の条件が変化してしまう。
【０００５】
そのため、電源投入してから時間が経過し、帯電現象が安定した状態で、フリッカが最小になる電位に設定する方法が提案されている（特許文献１を参照のこと）。
【特許文献１】特開２００２−３６５６５４号公報
【発明の開示】
【発明が解決しようとする課題】
【０００６】
しかしながら、特許文献１の発明は、電源投入時から帯電現象が安定するまでの約３０分間は、フリッカが発生してしまい、高性能な液晶表示装置を提供することができなかった。また、フリッカの発生は液晶変調素子の寿命を短くさせてしまう要因の一つである。そのため、液晶表示装置の長期的な信頼性が確保できなかった。
【０００７】
本発明は、電源投入時からフリッカを抑制する高性能かつ長期的な信頼性を確保できる液晶表示装置に関する。
【課題を解決するための手段】
【０００８】
本発明の一側面としての液晶表示装置は、画像を表示する液晶表示装置であって、第１電極と、前記第１電極とは異なる材料で構成された第２電極と、前記第１電極と前記第２電極との間に配置された液晶層と、前記第１電極と前記液晶層との間に配置された第１配向膜と、前記第２電極と前記液晶層との間に配置された第２配向膜とを含む液晶変調素子と、前記液晶層に与えられる有効電界の電位差が正と負とに周期的に変化するように、前記第１電極に与える電位と、前記第２電極に与える電位の中心電位に対して正と負とに周期的に変化する電位とを制御するコントローラとを有し、前記コントローラは、前記液晶表示装置の電源投入後で前記液晶変調素子内の帯電現象が安定するまでの間に、フリッカを特定範囲内に抑えるように、前記第１電極に与える電位と前記第２電極に与える電位の中心電位のうち少なくとも一方を変化させ、前記第１電極側から前記液晶層に光束を入射させて画像を表示することを特徴とする。
【０００９】
本発明の他の目的と更なる特徴は、以下、添付図面を参照して説明される実施例において明らかになるであろう。
【発明の効果】
【００１０】
本発明は、電源投入時からフリッカを抑制する高性能かつ長期的な信頼性を確保できる液晶表示装置を提供することができる。
【発明を実施するための最良の形態】
【００１１】
以下、添付図面を参照して、本発明の一実施例である液晶表示装置１を説明する。ここで、図１は、液晶表示装置１を示す構成図である。
【００１２】
液晶表示装置１は、画像をスクリーン２００に表示する機能を有する。液晶表示装置１は、本実施例では、反射型液晶表示素子（反射型液晶パネル等の画像形成素子）を搭載した投射型液晶表示装置である。液晶表示装置１は、筐体１ａと、ランプ１０と、照明光学系２０と、色分解合成光学系３０と、投射光学系４０と、液晶変調素子５０と、記憶部６０と、制御部７０を有する。
【００１３】
筐体１ａは、液晶表示装置１を構成する部材を固定し収納する。筐体１ａは、本実施例では、直方体である。また、筐体１ａは、液晶表示装置１の傾きを調整する調整機構を有している。尚、投射光学系４０の一部は、本実施例では、外部に露出しているが、筐体１ａ内に収納されていてもよい。
【００１４】
ランプ１０は、光を生成する機能を有する。ランプ１０は、発光管１１と、リフレクタ１２とを有する。この場合、γは、液晶表示装置１の光軸である。
【００１５】
発光管１１は、連続スペクトルで、白色光を発光する機能を有する。発光管１１は、図示しない電源供給部によって電源を供給されている。
【００１６】
リフレクタ１２は、発光管１１からの光を所定の方向に集光する機能を有する。そのため、リフレクタ１２は、反射率の高いミラー等によって構成されており、半球形状を有する。
【００１７】
照明光学系２０は、ランプ１０からの光を色分解合成光学系３０に伝達する機能を有する。照明光学系２０は、シリンダアレイ２１及び２２と、紫外線吸収フィルタ２３と、偏光変換素子２４と、フロントコンプレッサ２５と、全反射ミラー２６と、コンデンサーレンズ２７と、リアコンプレッサ２８とを有する。
【００１８】
シリンダアレイ２１及び２２は、カメラ、検出器、走査装置内等に組み込まれている感光素子の複合体である。シリンダアレイ２１は、光軸γに対して垂直方向に屈折力を有するレンズアレイである。シリンダアレイ２２は、シリンダアレイ２１の個々のレンズに対応したレンズアレイを有する。本実施例では、シリンダアレイ２１は、ランプ１０の前方に配置され、シリンダアレイ２２は、紫外線吸収フィルタ２３の前方に配置される。
【００１９】
紫外線吸収フィルタ２３は、紫外線を吸収する機能を有する。紫外線吸収フィルタ２３は、シリンダアレイ２１とシリンダアレイ２２との間に配置される。
【００２０】
偏光変換素子２４は、無偏光光を所定の偏光光に変換する機能を有する。偏光変換素子２４は、シリンダアレイ２２の前方に配置される。
【００２１】
フロントコンプレッサ２５は、水平方向において屈折力を有するシリンドリカルレンズで構成されている。フロントコンプレッサ２５は、偏光変換素子２４の前方に配置される。
【００２２】
全反射ミラー２６は、ランプ１０からの光を反射する機能を有する。全反射ミラー２６は、本実施例では、光軸を９０度変換する。全反射ミラー２６は、フロントコンプレッサ２５の前方に配置される。
【００２３】
コンデンサーレンズ２７は、ランプ１０からの光を集め、投影レンズの瞳内に光源の像を結ばせることによって、物体を均等に照明する。コンデンサーレンズ２７は、全反射ミラー２６の前方に配置される。
【００２４】
リアコンプレッサ２８は、水平方向において屈折力を有するシリンドリカルレンズで構成されている。リアコンプレッサ２８は、コンデンサーレンズ２７の前方に配置されている。
【００２５】
色分解合成光学系３０は、ランプ１０からの光を分解及び合成する機能を有する。色分解合成光学系３０は、ダイクロイックミラー３１と、偏光板３２と、偏光ビームスプリッタ３３と、１／４波長板３５と、色選択性位相差板３６とを有する。
【００２６】
ダイクロイックミラー３１は、青（Ｂ）と赤（Ｒ）の波長領域の光を反射し、緑（Ｇ）の波長領域の光を透過する。ダイクロイックミラー３１は、リアコンプレッサ２８の前面に配置される。
【００２７】
偏光板３２は、Ｓ偏光光のみを透過させる機能を有する。偏光板３２は、偏光板３２ａ、３２ｂ及び３２ｃとを有する。偏光板３２ａは、透明基板に偏光素子を貼り合わせた緑用の入射側偏光板である。偏光板３２ａは、ダイクロイックミラー３１の前方に配置されている。偏光板３２ｂは、透明基板に偏光素子を貼り合わせた赤青用の入射側偏光板である。偏光板３２ｂは、ダイクロイックミラー３１の前方に配置されている。偏光板３２ｃは、透明基板に偏光素子を貼り合わせた赤青用の出射側偏光板（偏光素子）である。
【００２８】
偏光ビームスプリッタ３３は、Ｐ偏光光を透過し、Ｓ偏光光を反射する。偏光ビームスプリッタ３３は、偏光分離面を有する。偏光ビームスプリッタ３３は、偏光ビームスプリッタ３３ａ、３３ｂ及び３３ｃを有する。偏光ビームスプリッタ３３ａは、偏光板３２ａの前面に配置される。偏光ビームスプリッタ３３ｂは、色選択性位相差板３６ａの前面に配置される。偏光ビームスプリッタ３３ｃは、偏光ビームスプリッタ３３ａの前面に配置される。
【００２９】
１／４波長板３５は、位相差を与える機能を有する。１／４波長板３５は、１／４波長板３５Ｒ、３５Ｇ及び３５Ｂとを有する。１／４波長板３５Ｒは、偏光ビームスプリッタ３３ｂと後述する液晶変調素子５０Ｒとの間に配置される。１／４波長板３５Ｇは、偏光ビームスプリッタ３３ａと後述する液晶変調素子５０Ｇとの間に配置される。１／４波長板３５Ｂは、偏光ビームスプリッタ３３ｂと後述する液晶変調素子５０Ｂとの間に配置される。
【００３０】
色選択性位相差板３６は、特定の光の偏光方向を９０度変換する機能を有する。色選択性位相差板３６ａは、青色の光の偏光方向を９０度変換し、赤色の光の偏光方向は変換しない。色選択性位相差板３６ａは、偏光板３２ｂと偏光ビームスプリッタ３３ｂとの間に配置される。色選択性位相差板３６ｂは、赤色の光の偏光方向を９０度変換し、青色の光の偏光方向は変換しない。色選択性位相差板３６ｂは、偏光板３２ｃと偏光ビームスプリッタ３３ｂとの間に配置される。
【００３１】
投射光学系４０は、照明光学系２０及び色分解合成光学系３０を介したランプ１０からの光を照射する。投射光学系４０は、鏡筒４０ａに図示しない複数の光学素子で構成されている。
【００３２】
液晶変調素子５０は、ランプ１０からの光を反射すると共に画像を変調する機能を有する。液晶変調素子５０は、液晶変調素子５０Ｒ、５０Ｇ及び５０Ｂとを有する。また、液晶変調素子５０（５０Ｒ、５０Ｇ及び５０Ｂ）は、図２に示すように、対向基板５１と、液晶材料（液晶層）５５と、駆動基板５６とから構成される。ここで、図２は、液晶変調素子５０の構造を示す断面図である。ここで、画像表示を行う際の液晶変調素子の駆動について簡単に説明する。本実施例の液晶表示装置は、１/６０秒周期（１フレーム）ごとに表示する画像を変化させることが可能であり、１/６０秒ごとの画像信号が液晶表示装置に入力される。その際、本実施例の液晶表示装置は、同一の画像信号に基づいて、同じ大きさの正の電圧と負の電圧を１/１２０秒周期（１フィールド）で液晶層に印加することによって、画像を表示する。すなわち、１/６０秒周期の１フレームの画像信号に基づいて、１/１２０秒周期で液晶層に対して正の電圧を印加して１フィールドの画像を表示し、その後液晶層に同じ大きさの負の電圧を印加して１フィールドの画像を表示する駆動を行っている。このような駆動を行う場合、本来同じ大きさである正の電圧（液晶層に印加される実効電圧、有効電界）と負の電圧との差がある一定値を超えて大きい場合には、フリッカーが大きくなり、人間の目にも見えてしまう。但し、本発明においては、上述のような駆動ばかりではなく、１フレーム＝１フィールドとして液晶変調素子を駆動しても構わない。すなわち、１/６０秒に対応する画像信号ごとに（１/６０秒ごとに）液晶変調素子に印加する電圧を正と負とで入れ替えるように制御しても構わない。その場合、同一の画像を長時間表示する（或いは徐々に変化するような変化が小さい画像を表示する）と、フリッカーが人間の目にも見え易くなってしまう。尚、このような駆動を行う場合の、後述する液晶層に印加される実効電圧（有効電界）、つまり液晶層に実際に印加される電圧の正の電圧の絶対値と負の電圧の絶対値は、同一画像を表示し続ける状態での両者の絶対値の差と考える。また、本実施例において、「フリッカー」と言う言葉は、人間の目に見える程度のものだけではなく、人間の目には見えない小さな輝度変化もフリッカーと称することとする。
【００３３】
対向基板５１は、液晶材料５５を後述する駆動基板５６と共同して閉じ込める。対向基板５１は、ガラス基板５２と、透明電極５３と、配向膜５４とを有する。
【００３４】
ガラス基板５２は、ランプ１０からの光を透過し、後述するＳｉ基板５９と共同して液晶材料５５を閉じ込める。
【００３５】
透明電極５３は、電流を流すことによって、液晶分子に電界を印加する機能を有する。透明電極５３には一定の電圧が印加される。透明電極５３は、インジウムとスズの酸化物であるインジウム・ティン・オキサイド（ＩＴＯ）の薄膜であり、ガラス基板５２の表面に薄膜として塗布される。また、透明電極５３の表面には、後述する配向膜５４が形成される。ここでは透明電極５３に一定の電位を与えた（一定の電圧をかけた）がその限りではなく、透明電極５３の電位を画素ごとに周期的に変化させても良い。透明電極５３や画素電極５８は、両者の電位を画素ごとに周期的に変化させても良いし、一方のみを画素ごとに周期的に変化させても良い。その両電極のうち少なくとも一方の電位を周期的に変化させることによって、液晶層５５に正の電圧と負の電圧を交互に印加するように構成すればどのように制御しても構わない。
【００３６】
配向膜５４は、液晶分子を一定の方向に向かわせる機能を有する。配向膜５４は、透明電極５３の表面にコーティングされた薄膜であり、ＳｉＯなどの無機物を基板表面に斜めに蒸着して、傾斜した柱状構造を形成する。この柱状構造により、液晶分子を一定方向に向かって並ばせることができる。
【００３７】
液晶材料５５は、画像信号に基づいて画像を出力するために使用される。液晶材料５５は、液体と固体の中間状態をいい、コレステリック液晶、スメクティック液晶及びネマティック液晶等の種類からなる。液晶材料５５は、本実施形態では、ネマティック液晶を使用している。ネマティック液晶は、液晶分子が、全体に一定方向に向いており、それ以外の規則性が少ない並び方をしている。液晶材料５５は、配向膜５４及び５７との間に導入されている。
【００３８】
駆動基板５６は、液晶材料５５を対向基板５１と共同して閉じ込める。駆動基板５６は、配向膜５７と、画素電極５８と、Ｓｉ基板５９とを有する。
【００３９】
配向膜５７は、液晶分子を一定の方向に向かわせる機能を有する。配向膜５７は、Ｓｉ基板５９の表面にコーティングされた薄膜であり、ＳｉＯなどの無機物を基板表面に斜めに蒸着して、傾斜した柱状構造を形成する。この柱状構造により、液晶分子を一定方向に向かって並ばせることができる。
【００４０】
画素電極５８は、透明電極５３と共同して、液晶材料５５に電流を流す機能を有する。画素電極５８は、液晶材料５５部分を挟む電極のうち、Ｓｉ基板５９に設けられる電極を指すが、前述の透明電極とは材料（特にフェルミ準位、仕事関数）が異なっていれば他の基板を用いても構わない。画素電極５８は、複数の電極から構成される。ここでは、画素電極５８の電位を駆動周期毎に変化させている（交流電圧を印加している）が、その限りでは無く、透明電極５３の電位を駆動周期ごとに変化させる場合は、画素電極の電位を一定に保っても構わない。
【００４１】
Ｓｉ基板５９は、シリコンから構成され、ガラス基板５２と共同して液晶材料５５を閉じ込める。Ｓｉ基板５９は、例えば、図示しないミラーが形成されている。
【００４２】
液晶変調素子５０Ｒは、赤用の液晶変調素子であり、ランプ１０からの光を反射すると共に画像を変調する機能を有する。液晶変調素子５０Ｒは、後述する１／４波長板３５Ｒの後方に配置される。液晶変調素子５０Ｇは、緑用の液晶変調素子であり、ランプ１０からの光を反射すると共に画像を変調する機能を有する。液晶変調素子５０Ｇは、後述する１／４波長板３５Ｇの後方に配置される。液晶変調素子５０Ｂは、青用の液晶変調素子であり、ランプ１０からの光を反射すると共に画像を変調する機能を有する。液晶変調素子５０Ｂは、後述する１／４波長板３５Ｂの後方に配置される。
【００４３】
記憶部６０は、電源投入後で液晶変調素子内の帯電現象が安定する前における、透明電極５３の電位の変化及び画素電極５８の中心電位の変化のうち少なくとも一方に関する情報を記憶している。透明電極５３の電位及び画素電極５８の中心電位のうち少なくとも一方を変化させることによって、電源投入後で液晶変調素子内の帯電現象が安定する前においても、フリッカーの発生量を小さく(reduce)することができる。具体的には、液晶層に印加される交流電圧の正の電圧の絶対値と負の電圧の絶対値との差が小さくなるように（もしくはある特定範囲内に収まるように）、上述の電位のうち少なくとも一方を変化させれば良い。そのような条件を満たす透明電極５３の電位の変化及び画素電極５８の中心電位の変化のうち少なくとも一方に関する情報を記憶しているのが記憶部６０である。          
【００４４】
記憶部６０は、透明電極５３と画素電極５８とに与えられる電位に基づいて液晶層５５に印加される有効電界（交流電圧）の正の絶対値と負の絶対値とが互いに等しくなるような、透明電極及び／又は画素電極を記憶していても良い。        このような透明電極５３の電位及び画素電極５８の中心電位は、フリッカーが最小となる（もしくはフリッカを無くす）ように変化させることが望ましいが、その限りでは無い。フリッカーが人間の目に見えない程度に小さくすればそれで足りる。従って、上述の２つの電位を変化させたとしても、変化した直後はフリッカーが増大している可能性もありえる。但し、変化前のフリカーも変化後のフリッカーも人間の目に見えない（短時間であれば若干フリッカーが見えても構わない）程度のものであれば、電位の変化によってフリッカーが大きくなっても構わない。
【００４５】
制御部７０は、電源投入後で液晶変調素子内の帯電現象が安定する前において、前述の記憶部６０で記憶している情報に基づいて、透明電極５３の電位及び画素電極５８の中心電位のうち少なくとも一方を変化させる。具体的には、透明電極５３と画素電極５８との間の液晶層に印加される有効電界（有効電圧、実効電圧）の正の電圧の絶対値と負の電圧の絶対値とが互いに等しくなるように、上述の電位のうち少なくとも一方を変化させる。透明電極の電位及び画素電極の（中心）電位の変化は、電源投入後で液晶変調素子内の帯電現象が安定する前において、継続的に、或いは断続的（段階的）に、又は１回だけ行っても良い。また、制御部７０は、液晶変調素子内の帯電減少が安定した後、透明電極５３（又は画素電極５８）の電位を予め設定した、フリッカを小さくすることが可能な電位に変更する。この結果、制御部７０は、フリッカを抑制することができる。尚、液晶表示装置１（液晶変調素子５０）の画像を表示する際の制御方法については、後述する。また、電源投入後で液晶変調素子内の帯電現象が安定するまでの時間は、１時間以内（好ましくは３０分以内、更に好ましくは２０分以内）であって、この制御部はその時間内に電極の電位を変化させる。
【００４６】
以下、図３を参照して、液晶変調素子５０の光学的な作用の原理を説明する。ここで、図３は、液晶変調素子５０を示すブロック図である。
【００４７】
液晶変調素子５０は、本実施例では、ＶＡＮ型液晶配向タイプを使用する。図３に示されるように、ランプ１０からの光は、方向ＩＷから偏光ビームスプリッタ３３に入射する。そして、偏光選択膜によってＰ成分の光が方向ＩＷＢへ導入され、Ｓ成分の光が方向ＩＷＡへ導入される。方向ＩＷＡの光成分は、紙面垂直方向に直線偏光した光が選択される。液晶変調素子５０の液晶のプレチルト配向方向は、方向ＩＷＡの直線偏光方向に対して４５°に傾いている。そのため、入射光の１／２波長分のリタデーション（遅れ）が与えられるように液晶層５５には電界が印加されている。方向ＩＷＡから液晶変調素子５０に入射した光は、液晶変調素子５０の液晶層５５によって２つの固有モードに分かれて伝播する。そして、方向ＯＷに反射出射するときには２つのモードの間に以下の数式で表わされる位相差δ（λ）が与えられる。ここで、λは入射光の波長、ｄは液晶層５５の厚さ、△ｎは液晶層５５に所定電界印加された状態での屈折率異方性△ｎである。
【００４８】
【数１】
2007206680.tif 000003
【００４９】
そこで方向ＯＷに出射する光の偏光方向のうち紙面垂直方向成分（偏光ビームスプリッタ３３に対してＳ偏光成分）は、偏光分離面によって方向ＢＷに反射されランプ１０側へもどる。そして、紙面平行方向成分（偏光ビームスプリッタ３３に対してＰ偏光成分）は、偏光分離面によって方向ＭＷに透過される。液晶変調素子５０は、以下の式で表されるように、位相差δ（λ）で方向ＭＷに出射する光の転送率Ｒ(λ)を有する。この場合、偏光ビームスプリッタ３３のＳ偏光反射率が１００％、Ｐ偏光透過率が１００％、無偏光反射率が１００％、かつ液晶変調素子５０の開口率が１００％とする。また、液晶変調素子５０の反射率Ｒ(λ)は、液晶変調素子５０を反射し、偏光ビームスプリッタ３３を透過する光量である。
【００５０】
【数２】
2007206680.tif 000004
【００５１】
尚、液晶層５５に対して印加する電界を変調すると液晶分子が、基板５１、５６に対してプレチルト角を有した略垂直のチルト角度から略水平のチルト角まで変位動作し、その結果見掛け上△ｎが変化する。このため位相差δ（λ）は減少変調され、δ≒０度からδ≒９０度となるものである。
【００５２】
以下、図４Ａ乃至図５Ｂを参照して、フリッカの発生する原理を説明する。ここで、図４Ａは、液晶層５５に印加される有効電界の時間変化を表すグラフであり、図４Ｂはそれに対応する輝度の時間変化を示すグラフである。図５Ａは、フリッカが発生している状態の液晶層に印加される有効電界の時間変化を表すグラフであり、図５Ｂはそれに対応する輝度の時間変化を示すグラフである。
【００５３】
まず、液晶層５５の透明電極５３側の端部における電位（又は電圧）をα、液晶層５５の画素電極５８側の端部における電位（又は電圧）をβとする。ここで、電位βは、電位αに対して相対的に正の値である場合と負の値である場合とがある。電位βが正の値である場合に、液晶層５５に印加される電位差（つまり”β-α”）と、電位βが負の値である場合に液晶層５５に印加される電位差（つまり“α-β”）とが互いに等しければフリッカーは発生しない。但し、液晶変調素子内の様々な帯電現象によって、液晶層５５に印加される実効電圧（有効電界）と、両電極間に印加される電圧とが互いに異なる場合がある。つまり、透明電極の電位と液晶層の透明電極側の端部の電位とが互いに異なっていたり、画素電極の電位と液晶層の画素電極側の端部の電位とが互いに異なっていたり、透明電極、画素電極、その他の液晶変調素子の構成部材が帯電していたりする場合がある。このような現象は、液晶表示装置、特に液晶表示素子に照射される光が強い液晶プロジェクタにおいて、顕著に発生する。ここでの帯電現象とは、液晶変調素子内のイオン性物質の移動や構成要素の帯電現象等のことを総称することとする。      このような場合、電源投入後、それらの部材の帯電現象が安定する（すなわち、それらの帯電現象に関わる電荷が液晶層に与える電界（電圧）が安定する）までは、それらの電荷が安定状態とは異なる電界を液晶層に印加する。それらの電荷が電源投入直後等の不安定な状態で液晶層に与える電圧と、安定した後に液晶層に与える電圧とが互いに異なるため、その両者の差分に相当するフリッカーが電源投入直後に発生する。このようにして発生する電源投入直後のフリッカーを小さくする（無くす）ように、両電極に与える電位を変化させる（制御する）のが本実施例である。尚、上述の電荷が液晶層に与える電圧が安定した後であっても、フリッカーが完全に無くならない場合もある。
ここで、図４Ａにフリッカーが発生していない状態での液晶表示装置１の液晶層に対する有効電界の波形を示す。このように、有効電界が正側と負側とで互いに等しくなっていると、図４Ｂに示したように画像の明るさが等しくなり、フリッカは発生しない。
【００５４】
次に、図５Ａに有効電界が正側と負側とで非対称になった（異なる）とき、つまりフリッカが発生しているときの有効電界の波形を示す。このように、有効電界が非対称になっていると、図５Ｂに示したように、駆動周期毎に明るさが変化してしまい、フリッカが発生する。
【００５５】
また、イオン性物質の移動や基板界面の膜の帯電は、液晶表示装置１の表示領域全面に渡って均一ではない。そのため、表示領域のエリアによってフリッカを抑制する為の透明電極５３の電位は異なっている。
【００５６】
従来の液晶表示装置において、出荷時にはフリッカが発生しないように、有効電界が正側と負側とで互いに等しくなるよう調整していた。つまり、透明電極の電位、もしくは画素電極の電位を各々調整することで、フリッカを抑制するように駆動条件を調整していた。
【００５７】
しかしながら、液晶表示装置、特に液晶プロジェクタにおいて、光を照射し帯電現象が安定した後に、フリッカが最小となる電位に調整する方法を用いた場合、電源投入から、前記帯電現象が安定するまでは、フリッカが発生してしまう。
【００５８】
そこで、制御部７０は、帯電現象が安定するまでの期間、フリッカを小さくする（抑制する）ように、透明電極５３の電位を変化させている（勿論画素電極の電位を変化させても良いし、両者の電位を変化させても良い）。例えば、図５Ｂに示すように、制御部７０は、液晶層の透明電極側の端部の電位αを理想の電位α´に引き下げるように透明電極の電位を制御する。それにより、帯電現象が安定するまでの期間における液晶層５５に印加される有効電界が正側と負側で互いに等しくなるため、電源投入時のフリッカを抑制することが出来る。それにより、高性能な液晶表示装置１を提供することが可能である。また、制御部７０は、帯電現象が安定した後に、透明電極５３の電位を予め設定したフリッカが最小となる電位に変更する。このように制御することによって、液晶変調素子を用いた液晶表示装置によって表示される画像の質を向上させることができる。更に、液晶変調素子５０の寿命を短くさせる原因のひとつであるフリッカを低減させるため液晶表示装置１の長期的な信頼性が確保することが出来る。
【００５９】
以下、図６を参照して、制御部７０が実行する制御方法５００について説明する。ここで、図６は、制御方法５００を説明するためのフローチャートである。なお、制御方法５００はコンピュータによって実行可能なプログラムとして記憶部６０に格納される。
【００６０】
まず、制御部７０は、電源投入後透明電極５３の電位が安定する前における、液晶変調素子の透明電極５３の電位の情報を取得する（ステップ５０２）。制御部７０は、かかる情報をメモリ６０から取得してもよいし、図示しない検出部から取得してもよい。但し、このステップ５０２は、単に透明電極５３の電位及び画素電極５８の中心電位を変化させるタイムテーブル（変化のさせ方）をメモリから読み出すステップと置き換えても構わない。
【００６１】
次に、図７〜１０を用いて従来技術及び本実施例における電位の制御の仕方、及びその際のフリッカ発生量について説明する。図７〜１０には、４つのサンプルについて測定や制御を行った結果を示している。図７、９は、従来技術について、図８、１０はそれらの結果を受けて本実施例を適用するために近似曲線を設定し、それに従って制御を行った結果を示す。ここでは、先に図７Ａ、Ｂ、図９Ａ、Ｂを用いて従来技術について先に説明を行う。
【００６２】
図７Ａ、Ｂ、図９Ａ、Ｂを用いてフリッカの発生量について、また帯電現象の安定化する様子について簡単に説明する。図７Ａは、従来のＲ用液晶変調素子の電源投入後から印加される透明電極の電位を示すグラフである。図７Ｂは、従来のＲ用液晶変調素子の電源投入後からの、液晶層の透明電極側端部の実際の電位と、液晶層の透明電極側端部の最適な（フリッカが最小となる）電位とのずれを示すグラフである。図９Ａは、従来のＢ用液晶変調素子の電源投入後から印加されるの透明電極の電位を示すグラフである。図９Ｂは、従来のＢ用液晶変調素子の電源投入後からの、液晶層の透明電極側端部の実際の電位と、液晶層の透明電極側端部の最適な（フリッカが最小となる）電位とのずれを示すグラフである。尚、図７Ｂ、９Ｂは、透明電極の実際の電位と透明電極の最適な電位とのずれを示すグラフと考えても良い。ここで、図７Ｂ、図９Ｂを見れば分かるように、透明電極の電位と画素電極の中心電位とを（両者の相対的な関係を）一定に保った場合、帯電現象が安定するまでの間、最適な電位は単調に変化する。ここでは、マイナス方向に変化し続けている（勿論、プラス方向に変化し続けても構わない）。従来は、図７Ａ及び図９Ａに示すように、電源投入時からの透明電極に印加する電位が一定であったため、図７Ｂ及び図９Ｂに示すように、０分から３０分のフリッカ量が大きく、特に、０分から１０分までのフリッカ量が大きい。図７Ｂ及び図９Ｂに示す縦軸の、液晶層の透明電極側端部の実際の電位と液晶層の透明電極側端部の最適電位とのずれはフリッカ量に対応する。本実施例においては、ＲＧＢの３つの光路に３枚の液晶変調素子５０Ｒ、５０Ｂ及び５０Ｇを配置している。当然、入射される光の波長、光量が異なる為、各光路によって帯電現象の傾向が異なっている。従来技術においては、不純物イオンの移動や帯電現象が安定してからフリッカが最小になるように駆動条件を調整している為、電源投入から３０分後にはフリッカが抑制されている。しかしながら、電源投入直後は、強いフリッカが発生していることが分かる。これは、電源投入直後では、液晶変調素子内部に存在している不純物イオンが熱拡散により、偏在していないことや、電源投入までは、光が照射されていないため光照射による帯電現象などが発生していないためであると考えられる。そして、電源投入してから液晶変調素子に電圧が印加されることで、不純物イオンが移動する、又は光照射による帯電現象が安定するにしたがい、フリッカが抑制されていく。
【００６３】
そこで、制御方法５００は、予め記憶部６０に記憶されている、フリッカ量が特定範囲内に収まる（好ましくは最小になる）ような透明電極５３の電位のデータを用いて、透明電極５３の電位を調整する。ここで、フリッカ量の特定範囲とは、前述の液晶層に印加される実効電圧（有効電界）の正の電圧の絶対値と負の電圧の絶対値との差が４００ｍＶ以内（好ましくは３００ｍＶ以内、更に好ましくは２００ｍＶ以内）であることと対応している。ここでの正の電圧と負の電圧とは、１フレームが２フィールドに対応する場合（例えば１フレームが１/６０秒周期でその間に正の電圧と負の電圧とで１/１２０秒周期で２フィールドの画像を表示する）には、１フレーム内（同一画素信号が与えられた状態）の正の電圧と負の電圧のことである。また、１フレームが１フィールドに対応する場合（例えば１フレームが１/６０秒周期でその間に正の電圧又は負の電圧とで１/６０秒周期で１フィールドの画像を表示する）には、同一画像信号が与えられ続けた場合のあるフレームの正の電圧とその直後のフレームの負の電圧のことである。  ここで、記憶部６０がフリッカ量を所定範囲に収める（好ましくは最小とする）画素電極の中心電圧に関するデータを保存しておき、その画素電極の中心電圧に関するデータを用いて画素電極の電位を調整しても良い。
【００６４】
つまり、図８Ｂ及び図１０Ｂに示すように、フリッカ量を最小にする透明電極５３の最適電位を取得する。その際、必要があれば、好ましくは複数回の測定を行ってフリッカ量を最小にする複数の透明電極５３の最適電位の平均又は近似値を取得する。図８Ｂ及び図１０Ｂは４サンプルの最適電位とその近似曲線を示している。取得した最適電位又は平均値又は近似値は記憶部６０に格納される。
【００６５】
次に、記憶部６０に格納された、取得した情報に基づいて、制御部７０は、透明電極５３又は画素電極５８に印加される電圧を変化させる（ステップ５０４）。図８Ａ及び図１０Ａは、図８Ｂ及び図１０Ｂに対応した４種類の制御された電位とその近似曲線を示している。この電位を電源投入後から制御部７０より透明電極５３に印加することにより、図８Ｃ及び図１０Ｃのようにフリッカ量が低減される。本実施例は、高性能な液晶表示装置１を提供することができ、また、フリッカによる液晶変調素子の短寿命化を防止して液晶表示装置１の長期的な信頼性を確保することができる。
【００６６】
ここでは、フリッカ量を最小にする（フリッカ量を所定範囲に収める）ための透明電極５３の電位の変化のさせ方を記憶部６０に記憶させていたが、その限りでは無い。液晶変調素子を介した画像光が少なくとも１つのＰＢＳを経た後の画像光の光路の側にフリッカ量を検出するためのセンサ（検出部）を配置し、そのセンサの検出結果に基づいて、透明電極５３及び／又は画素電極５８の電位を調整しても良い。具体的には、センサは、投射光学系４０の絞りの側や、色合成を行うＰＢＳのうちの１つ（最終的に３色を合成するＰＢＳが好ましい）の本来画像光が射出しない側（例えば、図１のＰＢＳ３３ｃの右側）等に配置すれば良い。また、そのセンサによる検出のタイミングは、電源投入直後を含めて一定時間ごと（１分、３分、５分等）に行っても良いし、液晶表示装置のユーザーの操作によって検出を行っても良い。勿論、検出する動作モードと検出しない動作モードを設けても良い。また、電位の調整自体を行う（フリッカー低減を行う）モードと、電位調整自体を行わない（フリッカー低減を行わない）モードとを切り替えられるようにしても良い。
ここで、図８Ａ乃至図８Ｃは、液晶変調素子５０Ｒにおいて電源投入直後からの透明電極電位を近似曲線で動作させた場合である。図８Ａは、電源投入後から制御部７０より印加される透明電極電位の時間変化を示すグラフである。図８Ｂは、電源投入後からフリッカを最小にする透明電極電位の時間変化を示すグラフである。図８Ｃは、Ｒ用液晶変調素子の電源投入直後からの透明電極の実際の電位と最適な電位とのずれを示すグラフである。図１０Ａ乃至図１０Ｃは、液晶変調素子５０Ｂにおいて電源投入直後からの透明電極電位を近似曲線で動作させた場合である。図１０Ａは、電源投入後から制御部７０より印加される透明電極電位の時間変化を示すグラフである。図１０Ｂは、電源投入後からフリッカを最小にする透明電極電位の時間変化を示すグラフである。図１０Ｃは、Ｂ用液晶変調素子の電源投入直後からの透明電極の実際の電位と最適な電位とのずれを示すグラフである。
【００６７】
その後、制御部７０は、透明電極５３の電位が安定した後に、透明電極５３の電位を予め設定した電位に変更する（ステップ５０６）。
【００６８】
以下、図１を参照して、液晶表示装置１の光学的な作用を説明する。
【００６９】
まず、発光管１１から発した光は、リフレクタ１２により所定の方向に集光される。リフレクタ１２は、放物面形状を有しており、放物面の焦点位置からの光は放物面の対称軸に平行な光束となる。但し、発光管１１からの光源は理想的な点光源ではなく有限の大きさを有しているので、集光する光束には放物面の対称軸に平行でない光の成分も多く含まれている。これらの光束は、シリンダアレイ２１に入射する。シリンダアレイ２１に入射した光束は、それぞれのシリンダレンズに応じた複数の光束に分割、集光される。そして、光束は、紫外線吸収フィルタ２３を介して、シリンダアレイ２２を経て、複数の光束（水平方向に帯状の複数の光束）を偏光変換素子２４の近傍に形成する。ここで、符号２１、２２を付した部材は、シリンダアレイでは無く、微小レンズを２次元的に配置したレンズアレイ（フライアイレンズアレイ）であっても構わない。
【００７０】
複数の光束は、その列に対応した偏光分離面に入射し、透過するＰ偏光成分の光と反射するＳ偏光成分の光に分割される。Ｓ偏光成分の光は、反射面で反射し、Ｐ偏光成分と同じ方向に出射する。一方、透過したＰ偏光成分の光は、１／２波長板を透過してＳ偏光成分に変換され、偏光方向が揃った光として出射する。偏光変換された複数の光束（水平方向に帯状の複数の光束）は、偏光変換素子４５を出射した後、フロントコンプレッサ２５を介して、反射ミラー２６にて９０度反射し、コンデンサーレンズ２７、リアコンプレッサ２８に至る。
【００７１】
ここで、フロントコンプレッサ２５、コンデンサーレンズ２７、リアコンプレッサ２８の光学的作用の関係で、複数の光束像が重なった矩形の均一な照明エリアが形成されることになる。この照明エリアに液晶変調素子５０Ｒ、５０Ｇ、５０Ｂを配置する。次に、偏光変換素子２４によりＳ偏光とされた光は、ダイクロイックミラー３１に入射する。尚、ダイクロイックミラー３１は、青色（波長４３０〜４９５ｎｍ）と赤色（波長５９０〜６５０ｎｍ）の光を反射し、緑色（波長５０５〜５８０ｎｍ）の光を透過する。
【００７２】
次に、緑色の光の光路について説明する。
【００７３】
ダイクロイックミラー３１を透過した緑色の光は、入射側偏光板３２ａに入射する。尚、緑色の光は、ダイクロイックミラー３１によって分解された後もＳ偏光である。そして緑色の光は、入射側偏光板３２ａから出射した後、偏光ビームスプリッタ３３ａに対してＳ偏光として入射して偏光分離面で反射され、緑色用の反射型液晶変調素子５０Ｇへと至る。緑色用の反射型液晶変調素子５０Ｇにおいては、緑色の光が画像変調されて反射される。画像変調された緑色の反射光のうちＳ偏光成分は、再び偏光ビームスプリッタ３３ａの偏光分離面で反射し、光源側に戻され、投射光から除去される。一方、画像変調された緑色の反射光のうちＰ偏光成分は、偏光ビームスプリッタ３３ａの偏光分離面を透過し、投射光として偏光ビームスプリッタ３３ｃに向かう。このとき、すべての偏光成分をＳ偏光に変換した状態（黒を表示した状態）において、偏光ビームスプリッタ３３ａと緑色用の反射型液晶変調素子５０Ｇとの間に設けられた１／４波長板３５Ｇの遅相軸を所定の方向に調整する。それにより、偏光ビームスプリッタ３３ａと緑色用の反射型液晶変調素子５０Ｇで発生する偏光状態の乱れの影響を小さく抑えることができる。偏光ビームスプリッタ３３ａから出射した緑色の光は、偏光ビームスプリッタ３３ｃに対してＰ偏光として入射し、偏光ビームスプリッタ３３ｃの偏光分離面を透過して投射光学系４０へと至る。
【００７４】
次に、赤色と青色の光路について説明する。
【００７５】
ダイクロイックミラー３１を反射した赤色と青色の光は、偏光板３２ｂに入射する。尚、赤色と青色の光は、ダイクロイックミラー３１によって分解された後もＳ偏光となっている。そして赤色と青色の光は、偏光板３２ｂから出射した後、色選択性位相差板３６ａに入射する。色選択性位相差板３６ａは、青色の光の未偏光方向を９０度回転する作用を持っている。これにより青色の光は、Ｐ偏光として、赤色の光は、Ｓ偏光として偏光ビームスプリッタ３３ｂに入射する。Ｓ偏光として偏光ビームスプリッタ３３ｂに入射した赤色の光は、偏光ビームスプリッタ３３ｂの偏光分離面で反射され、赤色用の反射型液晶変調素子５０Ｒへと至る。また、Ｐ偏光として偏光ビームスプリッタ３３ｂに入射した青色の光は、偏光ビームスプリッタ３３ｂの偏光分離面を透過して青色用の反射型液晶変調素子５０Ｂへと至る。
【００７６】
赤色用の反射型液晶変調素子５０Ｒに入射した赤色の光は、画像変調されて反射される。画像変調された赤色の反射光のうちＳ偏光成分の光は、再び偏光ビームスプリッタ３３ｂの偏光分離面で反射されて光源側に戻され、投射光から除去される。一方、画像変調された赤色の反射光のうちＰ偏光成分の光は、偏光ビームスプリッタ３３ｂの偏光分離面を透過して投射光として色選択性位相板３６ｂに向かう。
【００７７】
また、青色用の反射型液晶変調素子５０Ｂに入射した青色の光は、画像変調されて反射される。画像変調された青色の反射光のうちＰ偏光成分の光は、再び偏光ビームスプリッタ３３ｂの偏光分離面を透過して光源側に戻され、投射光から除去される。一方、画像変調された青色の反射光のうちＳ偏光成分の光は、偏光ビームスプリッタ３３ｂの偏光分離面で反射して投射光として色選択性位相板３６ｂに向かう。
【００７８】
このとき、偏光ビームスプリッタ３３ｂと、赤色及び青色用の反射型液晶変調素子５０Ｒ、５０Ｂの間に設けられた１／４波長板３５Ｒ、３５Ｂの遅相軸を調整する。それにより、緑色の場合と同じように赤色、青色それぞれの黒の表示の調整を行うことができる。
【００７９】
こうして１つの光束に合成され、偏光ビームスプリッタ３３ｂから出射した赤色と青色の投射光のうち赤色の光は、色選択性位相板３６ｂによって偏光方向が９０度回転されてＳ偏光成分となる。さらに、赤色の光は、偏光板３２ｃで検光されて偏光ビームスプリッタ３３ｃに入射する。また、青色の光は、Ｓ偏光のまま色選択性位相板３６ｂをそのまま透過し、さらに偏光板３２ｃで検光されて偏光ビームスプリッタ３３ｃに入射する。尚、赤色と青色の投射光は、偏光板３２ｃによって検光される。それにより、赤色と青色の投射光は、偏光ビームスプリッタ３３ｂと赤色用、青色用の液晶変調素子５０Ｒ、５０Ｂ、１／４波長板３５Ｒ、３５Ｂを通ることによって生じた無効な成分をカットされた光となる。
【００８０】
そして、偏光ビームスプリッタ３３ｃに入射した赤色と青色の投射光は、偏光ビームスプリッタ３３ｃの偏光分離面を反射し、前述した該偏光分離面にて反射した緑色の光と合成されて投射光学系４０に至る。そして、合成された赤色、緑色、青色の投射光は、投射光学系４０によってスクリーンなどの被投射面に拡大投影される。
【００８１】
以上の説明は、液晶変調素子が白表示の場合の光路の説明であった。そのため以下に液晶変調素子が黒表示の場合についての光路も説明する。
【００８２】
まず、緑色の光路について説明する。
【００８３】
ダイクロイックミラー３１を透過した緑色の光のＳ偏光光は、偏光板３２ａに入射する。その後、偏光ビームスプリッタ３３ａに入射して偏光分離面で反射され、緑色用の液晶変調素子５０Ｇへと至る。しかし、液晶変調素子５０Ｇが黒表示の為、緑色の光は、画像変調されないまま反射される。従って、液晶変調素子５０Ｇで反射された後も緑色の光は、Ｓ偏光光のままである為、再び偏光ビームスプリッタ３３ａの偏光分離面で反射し、偏光板３２ａを透過して光源側に戻され、投射光から除去される。
【００８４】
次に、赤色と青色の光路について説明する。
【００８５】
ダイクロイックミラー３１を反射した赤色と青色の光のＳ偏光光は、偏光板３２ｂに入射する。そして赤色と青色の光は、偏光板３２ｂから出射した後、色選択性位相差板３６ａに入射する。色選択性位相差板３６ａは、青色の光のみ偏光方向を９０度回転する作用を持っている。これにより青色の光は、Ｐ偏光として、赤色の光は、Ｓ偏光として偏光ビームスプリッタ３３ｂに入射する。Ｓ偏光として偏光ビームスプリッタ３３ｂに入射した赤色の光は、偏光ビームスプリッタ３３ｂの偏光分離面で反射され、赤色用の液晶変調素子５０Ｒへと至る。また、Ｐ偏光として偏光ビームスプリッタ３３ｂに入射した青色の光は、偏光ビームスプリッタ３３ｂの偏光分離面を透過して青色用の反射型液晶変調素子５０Ｂへと至る。ここで赤色用の液晶変調素子５０Ｒは、黒表示の為、赤色用の液晶変調素子５０Ｒに入射した赤色の光は、画像変調されないまま反射される。従って、赤色用の液晶変調素子５０Ｒで反射された後も赤色の光は、Ｓ偏光光のままである為、再び偏光ビームスプリッタ３３ａの偏光分離面で反射する。そして、赤色の光は、偏光板３２ｂを通過して光源側に戻され、投射光から除去される為、黒表示となる。一方、青色用の液晶変調素子５０Ｂに入射した青色の光は、青色用の液晶変調素子５０Ｂが黒表示の為、画像変調されないまま反射される。従って、青色用の液晶変調素子５０Ｂで反射された後も青色の光は、Ｐ偏光光のままである為、再び偏光ビームスプリッタ３３ａの偏光分離面を透過する。そして、青色の光は、色選択性位相差板３６ａにより、Ｓ偏光に変換され、偏光板３２ｂを透過して光源側に戻されて投射光から除去される。
【００８６】
以上、本発明の実施の形態を説明したが、本発明はこれらの実施の形態に限定されず、その要旨の範囲内で様々な変形及び変更が可能である。
【図面の簡単な説明】
【００８７】
【図１】本発明の液晶表示装置を示す概略構成図である。
【図２】図１に示す液晶表示装置に使用される液晶変調素子の構造を示す概略断面図である。
【図３】図２に示す液晶変調素子の原理を示す概略ブロック図である。
【図４】図４Ａは、図２に示す液晶変調素子における有効電界の時間変化を表すグラフであり、図４Ｂはそれに対応する輝度の時間変化を示すグラフである。
【図５】図５Ａは、従来の液晶変調素子における有効電界の時間変化を表すグラフであり、図５Ｂはそれに対応する輝度の時間変化を示すグラフである。
【図６】図１に示す液晶表示装置のフリッカを抑える制御方法を説明するためのフローチャートである。
【図７】図７Ａは、従来のＲ用液晶変調素子の電源投入後の透明電極の電位を示すグラフである。図７Ｂは、従来のＲ用液晶変調素子の電源投入後の透明電極の実際の電位と最適な電位とのずれを示すグラフである。
【図８】図８Ａ乃至図８Ｃは、図１に示すＲ用液晶変調素子において電源投入直後からの透明電極電位を近似曲線で動作させた場合であって、図８Ａは、制御された透明電極電位の時間変化を示すグラフであり、図８Ｂは、フリッカを最小にする透明電極電位の時間変化を示すグラフであり、図８Ｃは、Ｒ用液晶変調素子の電源投入直後の透明電極の実際の電位と最適な電位とのずれを示すグラフである。
【図９】従来のＢ用液晶変調素子の電源投入後の透明電極の電位を示すグラフである。図９Ｂは、従来のＢ用液晶変調素子の電源投入後の透明電極の実際の電位と最適な電位とのずれを示すグラフである。
【図１０】図１０Ａ乃至図１０Ｃは、図１に示すＢ用液晶変調素子において電源投入直後からの透明電極電位を近似曲線で動作させた場合であって、図１０Ａは、制御された透明電極電位の時間変化を示すグラフであり、図１０Ｂは、フリッカを最小にする透明電極電位の時間変化を示すグラフであり、図１０Ｃは、Ｂ用液晶変調素子の電源投入直後の透明電極の実際の電位と最適な電位とのずれを示すグラフである。
【符号の説明】
【００８８】
１          液晶表示装置
１０        ランプ
２０        照明光学系
３０        色分解合成光学系
４０        投射レンズ光学系
５０        液晶変調素子
６０        記憶部
７０        制御部
【図９】
2007206680.tif 000005
【図１】
2007206680.tif 000006
【図２】
2007206680.tif 000007
【図３】
2007206680.tif 000008
【図４】
2007206680.tif 000009
【図５】
2007206680.tif 000010
【図６】
2007206680.tif 000011
【図７】
2007206680.tif 000012
【図８】
2007206680.tif 000013
【図１０】
2007206680.tif 000014